(57)【要約】      （修正有）【課題】ユーザの利便性を保持しながら、無線電力伝送のための制御通信の接続を実現する受電装置、受電装置の制御方法及びプログラムを提供する。【解決手段】受電装置１００は、送電装置からの無線で電力を受電する受電部２０４と、他の通信装置を検出するために使用される第１の無線通信部２０３と、受電部による受電を制御するための通信に使用される第２の無線通信部２０５と、第１の無線通信部と第２の無線通信部とが相互に無線接続しないように制御する制御部２００と、を備える。【選択図】図２
2020043713.tif 000002
【特許請求の範囲】
【請求項１】
送電装置からの無線で電力を受電する受電部と、
他の通信装置を検出するために使用される第１の無線通信部と、
前記受電部による受電を制御するための通信に使用される第２の無線通信部と、
前記第１の無線通信部と前記第２の無線通信部とが相互に無線接続しないように制御する制御部と、
を備えることを特徴とする受電装置。
【請求項２】
前記第１の無線通信部は、Ｂｌｕｅｔｏｏｔｈ Ｌｏｗ Ｅｎｅｒｇｙ（ＢＬＥ）のセントラル機能を有するセントラル部であり、前記第２の無線通信部は、前記ＢＬＥのペリフェラル機能を有するペリフェラル部であることを特徴とする請求項１に記載の受電装置。
【請求項３】
前記制御部は、前記セントラル部により検出されたペリフェラルに前記ペリフェラル部が含まれる場合、前記検出されたペリフェラルのうち前記ペリフェラル部の情報を表示部に表示させないように制御することを特徴とする請求項２に記載の受電装置。
【請求項４】
前記制御部は、前記セントラル部により検出されたペリフェラルに前記ペリフェラル部が含まれる場合、前記検出された前記ペリフェラル部の情報と他のペリフェラルの情報とを識別可能に表示部に表示させるように制御することを特徴とする請求項２に記載の受電装置。
【請求項５】
前記制御部は、前記ペリフェラル部の情報を、ユーザによる選択を受け付け不可能に表示することを特徴とする請求項４に記載の受電装置。
【請求項６】
前記制御部は、前記ペリフェラルの情報をグレーアウト表示することを特徴とする請求項４又は５に記載の受電装置。
【請求項７】
前記制御部は、前記セントラル部が受信したアドバタイジングパケットが含む送信元の識別情報と、前記ペリフェラル部の識別情報とに基づいて、前記セントラル部により検出されたペリフェラルに前記ペリフェラル部が含まれるか否かを判定することを特徴とする請求項３乃至６の何れか１項に記載の受電装置。
【請求項８】
前記制御部は、前記セントラル部が受信したアドバタイジングパケットが無線電力伝送に対応することを示す情報を含む場合に、前記セントラル部により検出されたペリフェラルが前記ペリフェラル部であると判定することを特徴とする請求項３乃至６の何れか１項に記載の受電装置。
【請求項９】
前記制御部は、前記セントラル部がペリフェラルをスキャンするスキャニング状態である間、前記ペリフェラル部がアドバタイジングパケットを送信しないように制御することを特徴とする請求項３乃至８の何れか１項に記載の受電装置。
【請求項１０】
前記制御部は、前記ペリフェラル部が無線接続している送電装置が存在する場合、前記セントラル部がペリフェラルをスキャンするスキャニング状態に遷移する前に、前記送電装置が送電を停止するように要求するパケットを前記ペリフェラル部に送信させることを特徴とする請求項３乃至９の何れか１項に記載の受電装置。
【請求項１１】
ユーザからの入力を受け付ける入力部をさらに備え、
前記制御部は、前記ユーザに充電を停止するか否かの質問を前記表示部に表示すると共に、前記入力部を介して前記ユーザからの回答の入力を受け付け、
前記制御部は、前記ペリフェラル部が無線接続している送電装置が存在する場合、前記セントラル部がペリフェラルをスキャンするスキャニング状態に遷移する前に、前記表示部に前記質問を表示させ、前記充電を停止することを示す回答が入力された場合、前記送電装置が送電を停止するように要求するパケットを前記ペリフェラル部に送信させることを特徴とする請求項３乃至１０の何れか１項に記載の受電装置。
【請求項１２】
送電装置からの無線で電力を受電する受電部と、他の通信装置を検出するために使用される第１の無線通信部と、前記受電部による受電を制御するための通信に使用される第２の無線通信部とを備える受電装置の制御方法であって、
前記第１の無線通信部と前記第２の無線通信部とが相互に無線接続しないように制御する制御工程を有することを特徴とする受電装置の制御方法。
【請求項１３】
前記第１の無線通信部は、Ｂｌｕｅｔｏｏｔｈ Ｌｏｗ Ｅｎｅｒｇｙ（ＢＬＥ）のセントラル機能を有するセントラル部であり、前記第２の無線通信部は、前記ＢＬＥのペリフェラル機能を有するペリフェラル部であることを特徴とする請求項１２に記載の受電装置の制御方法。
【請求項１４】
前記制御工程では、前記セントラル部により検出されたペリフェラルに前記ペリフェラル部が含まれる場合、前記検出されたペリフェラルのうち前記ペリフェラル部の情報を表示部に表示させないように制御することを特徴とする請求項１３に記載の受電装置の制御方法。
【請求項１５】
前記制御工程では、前記セントラル部により検出されたペリフェラルに前記ペリフェラル部が含まれる場合、前記検出された前記ペリフェラル部の情報と他のペリフェラルの情報とを識別可能に表示部に表示させるように制御することを特徴とする請求項１３に記載の受電装置の制御方法。
【請求項１６】
コンピュータを、請求項１乃至１１の何れか１項に記載の受電装置として機能させるためのプログラム。
【発明の詳細な説明】
【技術分野】
【０００１】
本発明は、受電装置、受電装置の制御方法及びプログラムに関するものである。
【背景技術】
【０００２】
スマートフォン、デジタルカメラ等の携帯型機器には、Ｂｌｕｅｔｏｏｔｈ（登録商標）  Ｌｏｗ  Ｅｎｅｒｇｙ（ＢＬＥ）のセントラル機能を備えており、プリンタ、オフィス複合機等のペリフェラル機能を備える機器と通信できる機器がある。
【０００３】
特許文献１には、ＢＬＥのセントラル機能を備える携帯型機器が記載されている。この携帯型機器はスキャンの結果、発見されたペリフェラル機能を備える機器の一覧をディスプレイに表示する。そして、ユーザからボタンにより入力された機器に接続する。
【０００４】
これにより、ユーザは接続できるペリフェラル機能を備える機器を視認しながら、接続する機器を入力することで、携帯型機器を所望の機器に接続できるため、利便性がよい。
【０００５】
また、充電台に載置された携帯型機器への無線電力伝送技術が開発されており、実用化されている。特許文献２には、送電装置と受電装置とが電力の伝送を制御するために無線で通信する無線電力伝送システムが記載されている。ここで、ＢＬＥは比較的通信距離が短く消費電力が小さいため、充電台に載置された携帯型機器への無線送電を制御するための通信（以下、制御通信と称する）に用いられる。
【先行技術文献】
【特許文献】
【０００６】
【特許文献１】特開２０１１−１５５５９３号公報
【特許文献２】特開２０１６−７１１６号公報
【発明の概要】
【発明が解決しようとする課題】
【０００７】
しかしながら、従来の技術では、ＢＬＥのセントラル機能及びペリフェラル機能等の複数の無線通信部が独立して動作可能な受電装置において、複数の無線通信部同士が誤って無線接続してしまうことがあるため、ユーザの利便性が低下することがある。すなわち、ユーザの利便性を保持しながら、無線送電のための制御通信の接続を実現することが難しいという課題がある。
【０００８】
本発明は、上記の課題に鑑みてなされたものであり、ユーザの利便性を保持しながら、無線電力伝送のための制御通信の接続を実現するための技術を提供することを目的とする。
【課題を解決するための手段】
【０００９】
上記の目的を達成する本発明に係る受電装置は、
送電装置からの無線で電力を受電する受電部と、
他の通信装置を検出するために使用される第１の無線通信部と、
前記受電部による受電を制御するための通信に使用される第２の無線通信部と、
前記第１の無線通信部と前記第２の無線通信部とが相互に無線接続しないように制御する制御部と、
を備えることを特徴とする。
【発明の効果】
【００１０】
本発明によれば、ユーザの利便性を保持しながら、無線電力伝送のための制御通信の接続を実現することができる。
【図面の簡単な説明】
【００１１】
【図１】本発明の一実施形態に係る通信システムの構成例を示す図。
【図２】本発明の一実施形態に係る通信装置１００の構成例を示す図。
【図３】本発明の一実施形態に係る通信装置１０１の構成例を示す図。
【図４】本発明の一実施形態に係る送電装置１０２の構成例を示す図。
【図５】第１の実施形態に係る通信装置１００が実施する処理の手順を示すフローチャート。
【図６】第１の実施形態に係る通信装置１００が自装置のペリフェラル部を表示しない場合のスキャン終了後の入出力部による表示の一例を示す図。
【図７】第１の実施形態に係る自装置のペリフェラル部をグレーアウト表示する場合のスキャン終了後の入出力部による表示の一例を示す図。
【図８】第１の実施形態に係る通信装置１０１が実施する処理の手順を示すフローチャート。
【図９】第１の実施形態に係る送電装置１０２が実施する処理の手順を示すフローチャート。
【図１０】第２の実施形態に係る通信装置１００が実施する処理の手順を示すフローチャート。
【図１１】第２の実施形態に係る、ユーザに充電を停止するか否かを問う質問の入出力部による表示の一例を示す図である。
【発明を実施するための形態】
【００１２】
以下、図面を参照しながら実施形態を説明する。なお、以下の実施形態において示す構成は一例に過ぎず、本発明は図示された構成に限定されるものではない。
【００１３】
（第１の実施形態）
＜通信システム及び各装置の構成＞
まず図１を参照しながら、本発明の一実施形態に係る通信システムの構成例を説明する。通信システムは、通信装置１００、通信装置１０１及び送電装置１０２を含む。通信装置１００は、例えばスマートフォン、タブレット端末、デジタルカメラ等の携帯型機器である。通信装置１００は、ＢＬＥのセントラル機能を備えており、ペリフェラル機能を備える他の通信装置とＢＬＥで通信できる。また、通信装置１００は、無線受電機能を備える受電装置であり、無線送電の制御通信のためにＢＬＥのペリフェラル機能も備えている。
【００１４】
通信装置１０１は、例えばプリンタ、オフィス複合機等である。通信装置１０１は、ＢＬＥのペリフェラル機能を備えており、セントラル機能を備える他の通信装置とＢＬＥで通信できる。送電装置１０２は、例えば携帯型機器の充電台である。送電装置１０２は、電源アウトレット等から受電した電力を無線で送電する機能を備える。また、送電装置１０２は、無線送電の制御通信のためのＢＬＥのセントラル機能を備えている。
【００１５】
制御通信にＢＬＥを使用する場合、送電装置１０２をセントラルとして機能させ、受電装置（例えば通信装置１００）をペリフェラルとして機能させることにより、送電装置を複数の受電装置に同時に対応させることが可能となる。
【００１６】
＜通信装置１００の構成＞
次に、図２を参照して、本発明の一実施形態に係る通信装置１００の構成例を説明する。通信装置１００は、制御部２００、記憶部２０１、入出力部２０２、セントラル部２０３、及び受電部２０４を備えている。また、受電部２０４はペリフェラル部２０５を備えている。
【００１７】
制御部２００は、記憶部２０１に記憶されたプログラムを読み出し、実行することで通信装置１００の各部の動作を制御する。制御部２００は例えば中央処理装置（ＣＰＵ）である。記憶部２０１は、制御部２００が実行するプログラムを記憶する。また、制御部２００がプログラムを実行する際にデータを一時的に記憶する。記憶部２０１は、ランダムアクセスメモリ、読み出し専用メモリ等である。
【００１８】
入出力部２０２は、ユーザからデータの入力を受け付けたり、ユーザに対してデータを出力したりする。入出力部２０２は、タッチパネル、ディスプレイ、ボタン、キーボード、マウス等である。セントラル部２０３は、ＢＬＥのセントラル機能を実行する。セントラル部２０３は、例えば、ＢＬＥのセントラル機能を備える半導体集積回路チップとアンテナである。
【００１９】
受電部２０４は、送電装置１０２から電力を無線で受電し、受電した電力を蓄電したり、通信装置１００の各部に給電したりする。受電部２０４はペリフェラル部２０５を含む。ペリフェラル部２０５は、受電制御のためのＢＬＥのペリフェラル機能を実行する。受電部２０４は、例えば、受電コイル、受電回路、充電池、ＢＬＥペリフェラル機能を備える半導体集積回路チップとアンテナ等で構成される。なお、受電回路とＢＬＥペリフェラル機能を備える半導体集積回路チップはモジュール化されていてもよい。
【００２０】
＜通信装置１０１の構成＞
次に、図３を参照して、本発明の一実施形態に係る通信装置１０１の構成例を説明する。通信装置１０１は、制御部３００、記憶部３０１及びペリフェラル部３０２を備えている。制御部３００は、記憶部３０１に記憶されたプログラムを読み出し、実行することで通信装置１０１の各部を制御する。制御部３００は例えば、中央処理装置（ＣＰＵ）である。
【００２１】
記憶部３０１は、制御部３００が実行するプログラムを記憶する。また、制御部３００がプログラムを実行する際にデータを一時的に記憶する。記憶部３０１は、ランダムアクセスメモリ、読み出し専用メモリ等である。ペリフェラル部３０２は、ＢＬＥのペリフェラル機能を実行する。ペリフェラル部３０２は、例えば、ＢＬＥのペリフェラル機能を備える半導体集積回路チップとアンテナである。
【００２２】
＜送電装置１０２の構成＞
さらに、図４を参照して、本発明の一実施形態に係る送電装置１０２の構成例を説明する。  送電装置１０２は、制御部４００、記憶部４０１及び送電部４０２を備えている。また、送電部４０２はセントラル部４０３を備えている。
【００２３】
制御部４００は、記憶部４０１に記憶されたプログラムを読み出し、実行することで送電装置１０２の各部を制御する。制御部４００は、例えば、中央処理装置（ＣＰＵ）である。記憶部４０１は、制御部４００が実行するプログラムを記憶する。また、制御部４００がプログラムを実行する際にデータを一時的に記憶する。記憶部４０１は、ランダムアクセスメモリ、読み出し専用メモリ等である。
【００２４】
送電部４０２は、電源アウトレット等から受電した電力を、周波数を変換する等、無線送電に適切な形式に変換し、無線で送電する。送電部４０２はセントラル部４０３を含む。セントラル部４０３は、送電制御のためのＢＬＥのセントラル機能を実行する。送電部４０２は、例えば、電源アウトレットからの受電回路、送電回路、送電コイル、ＢＬＥセントラル機能を備える半導体集積回路チップとアンテナ等で構成される。
【００２５】
＜通信装置１００の処理＞
続いて、図５のフローチャートを参照しながら、本実施形態に係る通信装置１００が実施する処理の手順を説明する。当該処理は通信装置１００に電源が投入されると開始される。
【００２６】
ステップＳ５００において、制御部２００は、ペリフェラル部２０５にアドバタイジングパケットの送信を開始させる。ステップＳ５０１において、制御部２００は、ユーザからＢＬＥのペリフェラルのスキャンを開始する指示が入出力部２０２に対して入力されたか否かを判定する。指示が入力された場合、ステップＳ５０２へ進む。一方、指示が入力されていない場合、入力されるまで待機する。
【００２７】
ステップＳ５０２において、制御部２００は、セントラル部２０３にスキャンを開始させる。ステップＳ５０３において、制御部２００は、セントラル部２０３がペリフェラルを発見（検出）したか否かを判定する。セントラル部２０３がアドバタイジングパケットを受信することにより、ペリフェラルを発見したと判定できる。そして、発見された場合、ステップＳ５０４へ進む。発見されていない場合、ステップＳ５０７へ進む。
【００２８】
ステップＳ５０４において、制御部２００は、発見されたペリフェラルが自装置（通信装置１００）のペリフェラル部２０５であるか否かを判定する。そして、自装置のペリフェラル部２０５である場合、ステップＳ５０５へ進む。自装置のペリフェラル部２０５ではない場合、ステップＳ５０６へ進む。ここで、制御部２００は、受信したアドバタイジングパケットのＡｄｖＡフィールドの値と、ペリフェラル部２０５のアドレスとを比較することにより判定することができる。
【００２９】
なお、比較対象となる識別情報はアドレスに限られるものではなく、アドバタイジングパケットに含まれるペリフェラルを識別できる他の情報、例えば、装置名、型番等を、それに対応するペリフェラル部２０５を識別できる情報と比較してもよい。ペリフェラル部２０５を識別できる情報は記憶部２０１に記憶されていてもよいし、ペリフェラル部２０５に記憶されていてもよい。また、これらの情報は無線電力伝送、ＢＬＥ等の規格で規定されたものであってもよい。
【００３０】
当該ステップＳ５０４において、識別情報の比較を行う処理に代えて、制御部２００は、発見されたペリフェラルが受電の制御通信のためのペリフェラルであるか否かを判定してもよい。そして、無線受電の制御通信のためのペリフェラルである場合、当該ペリフェラルはペリフェラル部２０５であると判定し、ステップＳ５０５へ進む。一方、受電の制御通信のためのペリフェラルではない場合、当該ペリフェラルはペリフェラル部２０５ではないと判定し、ステップＳ５０６へ進む。ここでは、制御部２００は、受信したアドバタイジングパケットに無線電力伝送に対応することを示す情報が含まれる場合に、発見されたペリフェラルが無線受電の制御通信のためのペリフェラルであると判定する。この情報は無線電力伝送、ＢＬＥ等の規格で規定されたものであってもよい。規格で規定された情報を判定に使用することで、通信装置１００の汎用性を向上させることができる。
【００３１】
ステップＳ５０５において、制御部２００は、発見されたペリフェラルの情報を破棄し、入出力部２０２に表示させないように制御する。これにより、ユーザが自装置（通信装置１００）の受電部２０４への接続を試行することを防止することができる。その場合の画面表示例は図６を参照して後述する。なお、表示させない制御に限られるものではなく、後述するステップＳ５０６の表示とは異なる形式で、例えば、ペリフェラル部２０５の情報を、ユーザによる選択を受け付け不可能に表示してもよい。ペリフェラル部２０５の情報を、他のペリフェラルの情報よりも薄い色で表示してもよい。また、これらの表示を組み合わせてもよい。一例として、グレーアウト表示させる処理を施すことによって、発見されたペリフェラルの情報を表示させてもよい。これにより、ユーザは、接続する意味のあるペリフェラル、または、接続できるペリフェラルを容易に識別可能になる。その画面表示例は図７を参照して後述する。なお、グレーアウト表示にかぎらず、ユーザが接続を試行することを防止するような表示であればよい。例えば、他の装置の表示とは、色や、文字のフォントの種類や大きさなどを変えて表示してもよい。
【００３２】
ステップＳ５０６において、制御部２００は、発見されたペリフェラルの識別情報（例えばアドレス）を入出力部２０２に表示させる。なお、表示させる識別情報はアドレスに限られるものではなく、ユーザがペリフェラルを識別できる他の情報、例えば、装置名、型番等を表示させてもよい。
【００３３】
ステップＳ５０７において、制御部２００は、セントラル部２０３がスキャンを終了したか否かを判定する。スキャンを終了した場合、ステップＳ５０８へ進む。スキャンを終了していない場合、ステップＳ５０３に戻って処理を繰り返す。なお、セントラル部２０３は、所定の回数、全てのアドバタイジングチャネルでアドバタイジングパケットの受信を試行したり、所定の時間、アドバタイジングパケットの受信を試行したりすると、スキャンを終了する。
【００３４】
ステップＳ５０８において、制御部２００は、ユーザから、接続するペリフェラルの指示、又は、いずれのペリフェラルにも接続しないことを示す指示が、入出力部２０２に対して入力されたか否かを判定する。指示が入力された場合、ステップＳ５０９へ進む。一方、指示が入力されていない場合、入力されるまで待機する。
【００３５】
ステップＳ５０９において、制御部２００は、セントラル部２０３に、入出力部２０２に対して入力された指示に従って指示に対応するペリフェラルと接続させて、データの交換を開始する。ただし、いずれのペリフェラルにも接続しない指示が入力された場合はいずれのペリフェラルにも接続させずに、発見されたペリフェラルの表示を終了させる。そして、ステップＳ５１０へ進む。なお、セントラル部２０３は、指示に対応するペリフェラルに接続要求パケットを送信した後に当該ペリフェラルとのデータ交換を開始する。
【００３６】
ステップＳ５１０において、制御部２００は、一連の処理を終了するか否かを判定する。通信装置１００の電源がオフにされたり、無線接続を行わない旨の指示がユーザから入力されたりした場合、処理を終了する。一方、そうでない場合、ステップＳ５０１に戻って、処理を繰り返す。
【００３７】
＜表示例＞
ここで、図６及び図７を参照して、本実施形態に係るスキャン終了後の入出力部２０２の表示の一例を説明する。ここでは通信装置１００はスマートフォンであり、入出力部２０２はタッチパネルであるものとして説明を行う。
【００３８】
図６は、自装置（通信装置１００）のペリフェラル部２０５を表示しない場合の画面表示例である。ここでは、発見されたペリフェラルとして、通信装置１０１、通信装置Ｘ、通信装置Ｙが押下可能なボタンの形式で表示されている。しかし、送電装置１０２については発見されたものの表示はされていない。また、いずれのペリフェラルにも接続しない指示を入力するボタンも表示されている。ユーザは、いずれかのボタンにタッチすることで、接続するペリフェラルの指示、又は、いずれのペリフェラルにも接続しない指示を入力する。これにより、自装置のペリフェラル部とセントラル部とが誤って無線接続してしまうことを防止することができる。
【００３９】
図７は、自装置（通信装置１００）のペリフェラル部２０５をグレーアウトして表示する場合の画面表示例である。ここでは、発見されたペリフェラルとして、通信装置１０１、送電装置１０２、通信装置ＹＹＹが表示されている。しかし、送電装置１０２はグレーアウト表示されている。これにより、自装置のペリフェラル部とセントラル部とが誤って無線接続してしまう可能性を低減することができる。また、いずれのペリフェラルにも接続しない指示を入力するボタンも表示されている。ユーザは、いずれかのボタンにタッチすることで、接続するペリフェラルの指示、又は、いずれのペリフェラルにも接続しない指示を入力する。
【００４０】
なお、グレーアウト表示されているペリフェラルについては、ユーザからの入力を受け付けないように構成してもよい。すなわち、ボタンにタッチしても指示が入力されないように構成してもよい。これにより、自装置のペリフェラル部とセントラル部とが誤って無線接続してしまうことを防止することができる。
【００４１】
＜通信装置１０１の処理＞
続いて、図８のフローチャートを参照しながら、本実施形態に係る通信装置１０１が実施する処理の手順を説明する。当該処理は通信装置１０１に電源が投入されると開始される。
【００４２】
ステップＳ８００において、制御部３００は、ペリフェラル部３０２にアドバタイジングパケットの送信を開始させる。ステップＳ８０１において、制御部３００は、ペリフェラル部３０２が接続要求パケットを受信したか否かを判定する。受信した場合、ステップＳ８０２へ進む。一方、受信していない場合、受信するまで待機する。ステップＳ８０２において、制御部３００は、ペリフェラル部３０２を介して接続要求パケットの送信元装置とデータを交換する。
【００４３】
ステップＳ８０３において、制御部３００は、一連の処理を終了するか否かを判定する。通信装置１０１の電源がオフにされたり、無線接続を行わない旨の指示がユーザから入力されたりした場合、処理を終了する。一方、そうでない場合、ステップＳ８０１に戻って、処理を繰り返す。
【００４４】
なお、ステップＳ８０１−Ｓ８０３の処理の間、ペリフェラル部３０２は、接続要求パケットを受信すると、アドバタイジングパケットの送信を停止する。そして、データの交換が終了すると、アドバタイジングパケットの送信を再開する。
【００４５】
＜送電装置１０２の処理＞
さらに、図９のフローチャートを参照しながら、本実施形態に係る送電装置１０２が実施する処理の手順を説明する。当該処理は通信装置１０２に電源が投入されると開始される。
【００４６】
ステップＳ９００において、制御部４００は、送電部４０２が受電装置を検出したか否かを判定する。本実施形態では、通信装置１００が送電装置１０２に載置されたか否かを判定する。受電装置の載置が検出された場合、ステップＳ９０１へ進む。一方、受電装置の載置が検出されていない場合、検出されるまで待機する。
【００４７】
ここで、受電装置の検出方法の一例としては、送電部４０２が送電電圧の変化を監視しながら送電を試行し、送電電圧の変化を検出することにより、受電装置が送電装置１０２に載置されたことを検出する。すなわち、アナログピング（ａｎａｌｏｇ  ｐｉｎｇ）により検出する。なお、送電部４０２は、静電容量の変化、マイクロスイッチの押下等、他の方法を用いて、受電装置の載置を検出してもよい。
【００４８】
ステップＳ９０１において、制御部４００は、セントラル部４０３が受電装置からアドバタイジングパケットを受信したか否かを判定する。受信された場合、ステップＳ９０２へ進む。一方、受信されていない場合、受信されるまで待機する。
【００４９】
ステップＳ９０２において、制御部４００は、セントラル部４０３に受電装置と接続させ、送電を制御するためのデータの交換を開始するとともに、送電部４０２に送電を開始させる。より具体的には、セントラル部４０３は、受電装置へ接続要求パケットを送信した後、データの交換を開始する。制御部４００は、送電を行っている間、セントラル部４０３を介して、伝送電力についての要求等の送電を制御するためのデータを交換し続ける。
【００５０】
ステップＳ９０３において、制御部４００は、セントラル部４０３が受電装置から送電の停止を要求するパケットを受信したか否かを判定する。受信された場合、ステップＳ９０４へ進む。一方、受信されていない場合、受信されるまで待機する。
【００５１】
ステップＳ９０４において、制御部４００は、送電部４０２に送電を停止させるとともに、セントラル部４０３に受電装置との接続を切断させる。すなわち、データの送信を停止させる。  ステップＳ９０５において、制御部４００は、一連の処理を終了するか否かを判定する。送電装置１０２の電源がオフにされたり、無線接続を行わない旨の指示、或いは、送電を行わない旨の指示がユーザから入力されたりした場合、処理を終了する。一方、そうでない場合、ステップＳ９００に戻って、処理を繰り返す。
【００５２】
以上説明したように、本実施形態に係る通信装置は、Ｂｌｕｅｔｏｏｔｈ Ｌｏｗ Ｅｎｅｒｇｙ（ＢＬＥ）のセントラル機能を有するセントラル部（第１の通信部）を備えている。また、送電装置からの無線送電による受電を制御するための通信に使用されるＢＬＥのペリフェラル機能を有するペリフェラル部（第２の通信部）を備えている。そして、セントラル部とペリフェラル部とが相互に無線接続しないように制御する。より具体的には、セントラル部により発見されたペリフェラルが、自装置のペリフェラル部である場合には、無線送電のための制御通信の接続候補として表示しないようにする。或いは、グレーアウト表示することで接続候補ではないことを視認できるようにしたりする。
【００５３】
これにより、ＢＬＥのセントラル機能及びペリフェラル機能が独立して動作可能な通信装置において、利便性を保持しながら、無線送電のための制御通信の接続を実現することができる。
【００５４】
（第２の実施形態）
本実施形態では、セントラル部がペリフェラルをスキャンするスキャニング状態である間、ペリフェラル部がアドバタイジングパケットを送信しないように制御する例を説明する。また、セントラル部がペリフェラルをスキャンするスキャニング状態に遷移する前に、ユーザからの充電停止を指示する入力に応じて、送電装置が送電を停止するように要求するパケットをペリフェラル部に送信させる例を説明する。
【００５５】
第２の実施形態では、通信装置１００の制御部２００が実行する処理の手順が第１の実施形態とは異なっている。通信装置、送電装置等の構成は第１の実施形態と同様であるため、説明を省略する。第１の実施形態と同様の構成については同一の符号を付し、第１の実施形態と異なる部分を中心に説明する。
【００５６】
＜通信装置１００の処理＞
図１０のフローチャートを参照しながら、本実施形態に係る通信装置１００が実施する処理の手順を説明する。当該処理は、通信装置１００に電源が投入されると開始される。
【００５７】
ステップＳ１０００において、制御部２００は、ペリフェラル部２０５にアドバタイジングパケットの送信を開始させる。ステップＳ１００１において、制御部２００は、ユーザからＢＬＥのペリフェラルのスキャンを開始する指示が入出力部２０２に対して入力されたか否かを判定する。指示が入力された場合、ステップＳ１００２へ進む。一方、指示が入力されていない場合、ステップＳ１００９へ進む。
【００５８】
ステップＳ１００２において、制御部２００は、ペリフェラル部２０５にアドバタイジングパケットの送信を停止させる。これにより、セントラル部２０３は、スキャニング状態にある間に自装置（通信装置１００）のペリフェラル部２０５が送信したアドバタイジングパケットを受信することを防止できる。したがって、制御部２００は、発見されたペリフェラルが自装置（通信装置１００）のペリフェラル部２０５であるか否かを判定する必要が無くなり、処理を簡略化することができる。
【００５９】
ステップＳ１００３において、制御部２００は、セントラル部２０３に、ペリフェラルのスキャンを開始させる。ステップＳ１００４において、制御部２００は、セントラル部２０３がペリフェラルを発見したか否かを判定する。セントラル部２０３は、アドバタイジングパケットを受信することにより、ペリフェラルを発見する。発見された場合、ステップＳ１００５へ進む。一方、発見されなかった場合、ステップＳ１００６へ進む。
【００６０】
ステップＳ１００５において、制御部２００は、発見されたペリフェラルの識別情報（例えばアドレス）を入出力部２０２に表示させる。なお、表示させる識別情報はアドレスに限られるものではなく、ユーザがペリフェラルを識別できる他の情報、例えば、装置名、型番等を表示させてもよい。
【００６１】
ステップＳ１００６において、制御部２００は、セントラル部２０３がスキャンを終了したか否かを判定する。終了した場合、ステップＳ１００７へ進む。一方、終了していない場合、ステップＳ１００４に戻る。なお、セントラル部２０３は、所定の回数、全てのアドバタイジングチャネルでアドバタイジングパケットの受信を試行したり、所定の時間、アドバタイジングパケットの受信を試行したりすると、スキャンを終了する。
【００６２】
ステップＳ１００７において、制御部２００は、ユーザから、接続するペリフェラルの指示、又は、いずれのペリフェラルにも接続しない指示が、入出力部２０２に対して入力されたか否かを判定する。指示が入力された場合、ステップＳ１００８へ進む。一方、指示が入力されていない場合、入力されるまで待機する。なお、ステップＳ１００４でペリフェラルが発見されなかった場合は、接続候補となるペリフェラルが表示されないため、本ステップはスキップする。
【００６３】
ステップＳ１００８において、制御部２００は、セントラル部２０３に、入出力部２０２に入力されたペリフェラルと接続させるとともに、データの交換を開始する。ただし、いずれのペリフェラルにも接続しない指示が入出力部２０２に入力された場合は、いずれのペリフェラルにも接続させずに、発見されたペリフェラルの表示を終了させる。そして、ステップＳ１０１８へ進む。なお、セントラル部２０３は、指示されたペリフェラルに対して接続要求パケットを送信した後、当該ペリフェラルとのデータの交換を開始する。なお、ステップＳ１００４でペリフェラルが発見されなかった場合は、本ステップはスキップする。
【００６４】
ステップＳ１００９において、制御部２００は、ペリフェラル部２０５が送電装置（本実施形態では送電装置１０２）から接続要求パケットを受信したか否かを判定する。パケットを受信した場合、ステップＳ１０１０へ進む。一方、パケットを受信していない場合、ステップＳ１００１に戻る。
【００６５】
ステップＳ１０１０において、制御部２００は、ペリフェラル部２０５に、受電を制御するためのデータの交換を開始させるとともに、受電部２０４に受電を開始させる。ここで、制御部２００は、受電を行っている間、ペリフェラル部２０５を介して、伝送電力についての要求等の受電を制御するためのデータを交換し続ける。制御部２００は、この間、例えば、処理負荷を抑制するために、ペリフェラル部２０５に接続を一旦切断させた後、所定のタイミングで再度、アドバタイジングパケットを送信させ、接続要求パケットの受信に基づいて接続を再開させる処理を行ってもよい。
【００６６】
ステップＳ１０１１において、制御部２００は、ユーザから、ＢＬＥのペリフェラルのスキャンを開始する指示が入出力部２０２に対して入力されたか否かを判定する。指示が入力された場合、ステップＳ１０１２へ進む。一方、指示が入力されていない場合、ステップＳ１０１６へ進む。
【００６７】
ステップＳ１０１２において、制御部２００は、ユーザに充電を停止するか否かを問う質問を入出力部２０２に表示させる。ステップ１０１３において、制御部２００は、ユーザから入出力部２０２に対して回答が入力されたか否かを判定する。回答が入力された場合、ステップＳ１０１４へ進む。一方、回答が入力されていない場合、入力されるまで待機する。
【００６８】
ステップＳ１０１４において、制御部２００は、入力された回答が充電の停止であるか否かを判定する。回答が充電の停止である場合、ステップＳ１０１５へ進む。一方、回答が充電の停止ではない場合、ステップＳ１０１１に戻る。ステップＳ１０１５において、制御部２００は、ペリフェラル部２０５に、送電装置に送電の停止を要求するパケットを送信させるとともに、受電部２０４に受電を停止させる。なお、送電の停止を要求するパケットは、無線電力伝送の規格で規定されているパケットであってもよい。そして、ステップＳ１００２に戻る。
【００６９】
ステップＳ１０１２〜Ｓ１０１５の処理によれば、ユーザの利便性を向上させることができる。また、受電装置が送電装置に通知することなく受電を停止することを通常の手順としていない送電装置に対しても、通信装置１００を対応させることができる。したがって、通信装置１００の汎用性を向上できる。
【００７０】
ステップＳ１０１６において、制御部２００は、受電終了条件を満足したか否かを判定する。ここで、受電終了条件とは、充電池が容量一杯まで充電された、或いは、ユーザから受電の停止を指示する入力が入出力部２０２に対して行われた、等の条件である。受電終了条件が満足された場合、ステップＳ１０１７へ進む。一方、受電終了条件が満足されていない場合、ステップＳ１０１１に戻る。
【００７１】
ステップＳ１０１７において、制御部２００は、ペリフェラル部２０５に、送電装置に送電の停止を要求するパケットを送信させるとともに、受電部１０４に受電を停止させる。そして、ステップＳ１０１８へ進む。
【００７２】
ステップＳ１０１８において、制御部２００は、一連の処理を終了するか否かを判定する。無線接続を行わない旨の指示、或いは、受電機能を無効にする指示がユーザから入力される等した場合、処理を終了する。一方、そうでない場合、ステップＳ１００１に戻って、処理を繰り返す。
【００７３】
＜表示例＞
続いて、図１１を参照して、本実施形態に係るステップＳ１０１２における、ユーザに充電を停止するか否かを問う質問の入出力部２０２の表示の一例を説明する。図１１において、「充電を停止してＢＬＥ通信装置を探索しますか？」との質問及び、回答を入力するための「はい」、「いいえ」のボタンが表示されている。ユーザは、いずれかのボタンを押下することにより、回答を入力することができる。
【００７４】
以上説明したように、本実施形態では、Ｓ１００２に示したように、セントラル部がペリフェラルをスキャンするスキャニング状態である間、ペリフェラル部がアドバタイジングパケットを送信しないように制御する。これにより、セントラル部が、スキャニング状態にある間に自装置のペリフェラル部が送信したアドバタイジングパケットを受信することを防止できる。したがって、発見されたペリフェラルが自装置のペリフェラル部２０５であるか否かを判定する必要が無くなり、処理を簡略化することができる。
【００７５】
また、Ｓ１０１１〜Ｓ１０１５に示したように、ペリフェラル部が無線接続している送電装置が存在する場合、セントラル部がペリフェラルをスキャンするスキャニング状態に遷移する前に、送電装置が送電を停止するように要求するパケットをペリフェラル部に送信させる。その際、ユーザに充電を停止するか否かの質問を表示すると共に、ユーザからの回答の入力を受け付け、充電を停止することを示す回答が入力された場合に、送電装置が送電を停止するように要求するパケットをペリフェラル部に送信させる。これにより、不要な充電を停止することができるため、ユーザの利便性が向上する。
【００７６】
なお、第１および第２の実施形態では、通信装置１００のペリフェラル部２０５は制御通信のために使用する例を説明した。但し、当該例に限定されるものではなく、ＢＬＥのセントラル機能を備える他の装置、例えば、スマートフォン、タブレット端末、デジタルカメラ等との接続のために使用されてもよい。その場合、制御部２００は図８に示した通信装置１０１の処理と同様の処理を実行する。
【００７７】
また、上述の実施形態では、２つの無線通信部として、ＢＬＥのセントラル機能を有するセントラル部、ＢＬＥのペリフェラル機能を有するペリフェラル部を例に説明したが、これらに限定されるものではない。１つの通信装置が複数の無線通信部を備えている場合に、複数の無線通信部同士が接続してしまう可能性がある他の通信部にも本発明を適用することができる。
【００７８】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７９】
１００：通信装置、２００：制御部、２０１：記憶部、２０２：入出力部、セントラル部、２０４：受電部、２０５：ペリフェラル部
【図１】
2020043713.tif 000003
【図２】
2020043713.tif 000004
【図３】
2020043713.tif 000005
【図４】
2020043713.tif 000006
【図５】
2020043713.tif 000007
【図６】
2020043713.tif 000008
【図７】
2020043713.tif 000009
【図８】
2020043713.tif 000010
【図９】
2020043713.tif 000011
【図１０】
2020043713.tif 000012
【図１１】
2020043713.tif 000013